(57)【特許請求の範囲】
【請求項１】
アッパーに接地底を縫付け方式で取付けてなる地下たびにおいて、親指部と四指部の先端中央の下端からやや上方にかけての爪先先端箇所の外表面に、それぞれが別体で爪先形状に沿うように湾曲状となっていてしかもその外表面が梨地又は凹凸形状となっており、かつその背面の少なくとも略中央の突き当たり箇所に硬質材料製保形片を介在させ、さらに下方に吊込み片を連接させた弾性材料製の緩衝片を、アッパーに当接した状態で縫着させたことを特徴とする地下たび。
【請求項２】
上方周縁内側に該周縁に沿って延びる縫糸収納溝を形成した緩衝片を用いることを特徴とする請求項１記載の地下たび。
【請求項３】
柔軟性材料で被包した保形片を用いることを特徴とする請求項１又は２記載の地下たび。
【発明の詳細な説明】
【０００１】
【産業上の利用分野】
本発明は、土木、建築現場等において使用する地下たびに関するものである。
【０００２】
【従来の技術】
地下たびは、一般に綿布で縫製されたアッパーに、ゴム又は合成樹脂製の接地底を取付けた構成からなっており、足の胛部から脚部を覆い、コハゼにより足にフィットさせることができ、しかも柔軟な底材を用いかつ指股もあるところから、足の動きに自由度があり、接地感覚もよく、軽快に履用できる特徴を有している。
【０００３】
ところで、地下たびは上述したように軽快性の要求からアッパーも布製となっているため、履用中に爪先部分が器物に接触したり衝突した際、アッパー生地が摩耗や破損を受けることがあり、甚しくは爪先部分にも影響を及ぼすことがあった。
【０００４】
このため、地下たびでは古くから爪先を含むアッパーと接地底が接する部分、即ち接地部にゴムテープ等を巡らして固着することが行われているが、このようにゴムテープを固着することは、全体として重量の増加を招き指の動きにも影響を及ぼす懸念があり、又通気性の点からも有利とはいえない面があった。
又巻き上げと称して接地底の一部を外側に延出させ、これをアッパーに固着させることも行われているが、これは未加硫状態の接地底を貼り付けて行なう場合に適し、縫付け方式の地下たびには適用しにくく、しかも外観に違和感を与える懸念もあった。
さらに爪先部分を落下物から保護する目的で、この部分に金属製等の先芯を固着する提案もなされているが、爪先を覆う先芯を固着すると、爪先部分の重量が増加し、地下たびのバランスを崩す惧れがあった。しかもこの場合、先芯に爪先等が当たったりして、必ずしも爪先に受ける衝撃を緩和させることはできなかった。
【０００５】
【発明が解決しようとする課題】
本発明は上記の状況に鑑み、足の軽快性や通気性さらにはバランスを損ねることがなく、しかも爪先部分の接触や衝突から保護しうる地下たびについて検討し、本発明に到達したものである。
【０００６】
アッパーに接地底を縫付け方式で取付けてなる地下たびにおいて、親指部と四指部の先端中央の下端からやや上方にかけての爪先先端箇所の外表面に、それぞれが別体で爪先形状に沿うように湾曲状となっていてその外表面が梨地又は凹凸形状となっており、かつその背面の少なくとも略中央の突き当たり箇所に硬質材料製保形片を介在させ、さらに下方に吊込み片を連接させた弾性材料製の緩衝片を、アッパーに当接した状態で縫着させたことを特徴とする地下たびにある。
又本発明は、上方周縁内側に該周縁に沿って延びる縫糸収納溝を形成した緩衝片を用いることを特徴とし、さらに本発明は、柔軟性材料で被包した保形片を用いることも特徴とするものである。
【０００７】
【発明の実施の形態】
以下、本発明の実施の形態を実施例として示す図面に従って説明する。
図１は本発明の地下たびの一例を示しており、綿布等を縫製してなるアッパー１に、ゴム又は合成樹脂からなる接地底２を縫着又は縫着と接着とを併用することによって取付けてなっている。なお、図中３はコハゼ、４はコハゼ掛糸であり、又１Ａはアッパーの胛布、１Ｂは中底、１Ｃは爪先部の被せ布、１Ｄは踵部の被せ布を夫々示している。
【０００８】
本発明は、上記の如く構成された地下たびにおいて親指部と四指部の先端中央の下端からやや上方にかけての爪先先端箇所の外表面に、それぞれが別体で爪先形状に沿うように湾曲状となっていてしかもその外表面が梨地又は凹凸形状となっており、かつその背面の少なくとも略中央の突き当たり箇所に硬質材料製保形片６を介在させ、さらに下方に吊込み片５Ｂを連設させた弾性材料製の緩衝片５を、アッパーに当接した状態で縫着させたことを特徴とするものである。
【０００９】
本発明に用いる緩衝片５は、親指部と四指部とで夫々別体となっており、図５に示すように断面が浅い半球状、三日月状又はその変形等の形状で構成され爪先形状に沿うように湾曲状となっていて、爪先部分が受ける接触や衝突を緩和させる役目を果たしている。緩衝片５の素材としては、ゴム又は合成樹脂等の弾性材料の成形品等が使用でき、図示した例のように外表面に梨地加工したり、凹凸形状にすることにより滑り止め効果を発揮させたり、一層の摩耗防止効果を発揮させることもできる。
【００１０】
そしてこの緩衝片５は、アッパー１の外表面に当接させ、必要に応じて内面に接着剤を介在させ、その上方周縁に設けた縫糸収納溝５Ａを使用して縫合して固着させる。なお、図示するように緩衝片５の下方に吊り込み片５Ｂを連接し、アッパー１の吊り込みと同時にこれを吊り込んだ後接地底２を縫着すると、強固でかつ安定的に取付けてかつ外観上もきれいに仕上げることができる。
【００１１】
図２に示す実施例では、緩衝片５背面中央の突き当たり箇所に硬質材料製保形片６を介在させているため、緩衝片５の湾曲状の保形効果を一層高め、地下たびを履いたときの指先の収まりも良くなり、他の器物に最初に衝突する箇所に相当する部分の緩衝片５に適度の堅さと張りを付与し、本発明の緩衝の効果をさらに高める役割を果たしている。なおこの保形片６としては、平板上又は予め湾曲状に成形された合成樹脂のシート片、ネット片又は、ＦＲＰ成形品、又は金属シート片、ネット片等が用いられ、これを接着や縫着により緩衝片５の背面に固着させる。
【００１２】
本発明で用いる保形片６は、上記例だけに限られずこれより大きくし、例えば図６に示すように、緩衝片５の吊り込み片５Ｂを除く背面の略全面に沿うように成形して介在させることもできる。このようにすると、緩衝片５の保形効果をより一層高めることができることとなる。
さらに図７に示すように、保形片６の全面又は両面にスポンジ、不織布等の柔軟性材料７を被包し、爪先に対する足当たりの緩和効果を向上させることもできる。
【００１３】
このようにして得られた地下たびは、親指部と四指部の爪先部分が緩衝片５によって器物の接触や衝突から保護し得ると共に、この部分の摩擦や摩耗に耐える効果も発揮し、同時にこの部分の湾曲状の立体形状を保持し、履用に際して爪先の足入れが極めて楽となり、爪先への影響を防止しうるものであり、かつこの部分の外観を向上させている。
【００１４】
【発明の効果】
本発明は以上詳述した如き構成からなるものであるから、一般の縫付け方式の地下たびと同様な通気性、接地感覚と軽快感を備えるものであって、爪先が緩衝片の存在により保護されると共にアッパー爪先部の摩擦や摩耗の強度を向上させ、さらに上記緩衝片の背面に硬質材料製保形片を介在させているため、保形効果と適度の硬さと張りを付与して緩衝効果を一層高めることができ、重量増やバランスを崩すことがなく、しかも緩衝片を強固に安定的に取付けて外観上もきれいに仕上げて、履き心地のよい地下たびを提供しうる利点がある。
【図面の簡単な説明】
【図１】本発明の一実施例を示す地下たびの斜視図である。
【図２】図１のＩＩ−ＩＩ線の拡大断面図である。
【図３】本発明に用いる緩衝片の表面側からみた斜視図である。
【図４】本発明に用いる緩衝片の裏面側からみた斜視図である。
【図５】本発明に用いる緩衝片の中央縦断面図である。
【図６】本発明に用いる緩衝片の別の例を示す中央縦断面図である。
【図７】本発明に用いる保形片の別の例を示す断面図である。
【符号の説明】
１                  アッパー
２                  接地底
５                  緩衝片
５Ａ                縫糸収納溝
５Ｂ                吊り込み片
６                  硬質材料製の保形片
【図１】
0004702709.tif 000002
【図２】
0004702709.tif 000003
【図３】
0004702709.tif 000004
【図４】
0004702709.tif 000005
【図５】
0004702709.tif 000006
【図６】
0004702709.tif 000007
【図７】
0004702709.tif 000008